【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
ユーザが操作するユーザ端末によって広告提供対象の情報がアクセスされたときに、そのユーザ端末に対して広告データを送信し、前記ユーザ端末において広告を出力させる広告システムであって、
前記ユーザ端末に広告を出力させる条件を示す制御情報であって、広告主または代理人によって予め指定されまたは選択される広告出力先ユーザの視聴質に関連づけられた前記制御情報を、広告毎に記憶する広告制御情報記憶手段と、
前記ユーザ端末からの要求により要求された前記情報が前記ユーザ端末に提供された状態で前記ユーザ端末により所定のコンテンツが要求されたときに、当該コンテンツを要求した前記ユーザの視聴質を決定しかつ取得するユーザ視聴質取得手段と、
前記広告制御情報記憶手段に記憶された前記制御情報と、前記ユーザ視聴質取得手段により取得された前記ユーザの視聴質に基づいて、前記出力条件を満たす広告を決定し、前記コンテンツを要求したユーザ端末に対し広告データを送信する動作を制御する広告制御手段と、
を備えることを特徴とする広告システム。
【請求項２】
広告制御情報記憶手段は、前記広告主または代理人によって予め指定されまたは選択される広告出力先ユーザの視聴質ランクを、ユーザ端末に広告を出力させる条件を示す制御情報として広告毎に記憶するものであり、
前記ユーザ視聴質取得手段は、前記ユーザ端末を操作して前記コンテンツを要求した前記ユーザの視聴質を数値化した視聴質ランクを取得するものであり、
前記広告制御手段は、前記広告制御情報記憶手段に記憶された制御情報と、前記ユーザ視聴質取得手段により取得された視聴質ランクに基づいて、前記出力条件を満たす広告を決定し、前記コンテンツを要求したユーザ端末に対し広告データを送信する動作を制御することを特徴とする請求項１記載の広告システム。
【請求項３】
前記ユーザ視聴質取得手段が取得する、前記コンテンツを要求した前記ユーザの視聴質ランクは、視聴質ランク取得用のアンケートに対して前記ユーザ端末の操作により入力される回答に基づいて決定されることを特徴とする請求項２記載の広告システム。
【請求項４】
前記広告システムは、前記ユーザ端末に対して提供されるコンテンツ毎に、コンテンツを要求したユーザの視聴質ランクに係る情報を実績情報として記憶するコンテンツ毎視聴質ランク実績記憶手段をさらに備え、
前記ユーザ視聴質取得手段が取得する、前記コンテンツを要求したユーザの視聴質ランクは、前記ユーザ端末によりコンテンツが要求された場合に、その要求されたコンテンツに対応して前記コンテンツ毎視聴質ランク実績記憶手段に記憶された実績情報に基づいて決定されること、
を特徴とする請求項２記載の広告システム。
【請求項５】
前記ユーザ視聴質取得手段は、前記コンテンツ毎視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする請求項４記載の広告システム。
【請求項６】
前記広告システムは、前記ユーザ端末からの要求に応じて、有線又は無線により放送される番組、劇場公開される映画、演劇、演奏その他のイベントに関連するコンテンツを前記ユーザ端末に提供するものであって、
前記ユーザ端末に提供されるコンテンツに対応づけて、当該コンテンツが関連する放送番組、映画、演劇、演奏その他のイベントの提供に係る日又は日時又は時刻を示す情報を記憶する主題情報記憶手段と、
前記ユーザ端末によりコンテンツが要求された日又は日時又は時刻と、当該コンテンツが関連する放送番組、映画、演劇、演奏その他のイベントの提供に係る日又は日時又は時刻との前後関係に対応づけて、当該コンテンツを要求したユーザの視聴質ランクに係る情報を実績情報として記憶する提供時間視聴質ランク実績記憶手段とをさらに備え、
前記ユーザ視聴質取得手段は、前記ユーザ端末によってコンテンツが要求された場合に、前記主題情報記憶手段に記憶された情報に基づいて、コンテンツが要求された日又は日時又は時刻と当該コンテンツが関連する放送番組、映画、演劇、演奏その他のイベントの提供に係る日又は日時又は時刻との前後関係を求め、求めた前後関係と前記提供時間視聴質ランク実績記憶手段に記憶された情報とに基づいて、当該コンテンツを要求した前記ユーザの視聴質を決定しかつ取得することを特徴とする請求項２記載の広告システム。
【請求項７】
前記ユーザ視聴質取得手段は、前記提供時間視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする請求項６記載の広告システム。
【請求項８】
前記広告システムは、前記ユーザ端末からの要求に応じて、有線又は無線により放送される番組、劇場公開される映画、演劇、演奏その他のイベントに関連するコンテンツを前記ユーザ端末に提供するものであって、
前記ユーザが前記コンテンツに到達するために用いた手段又は契機を示す情報に対応づけて、そのコンテンツに到達したユーザの視聴質ランクに係る情報を実績情報として記憶する到達方法視聴質ランク実績記憶手段をさらに備え、
前記ユーザ視聴質取得手段は、前記ユーザ端末によってコンテンツが要求された場合に、当該コンテンツ要求情報に含まれる、前記ユーザが前記コンテンツに到達するために用いた手段又は契機を示す情報を取得し、取得した到達の手段又は契機を示す情報と前記到達方法視聴質ランク実績記憶手段に記憶された情報とに基づいて、当該コンテンツを要求した前記ユーザの視聴質を決定しかつ取得することを特徴とする請求項２記載の広告システム。
【請求項９】
前記ユーザ視聴質取得手段は、前記到達方法視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする請求項８記載の広告システム。
【請求項１０】
前記広告システムは、前記ユーザ端末からの要求に応じて、有線又は無線により放送される番組、劇場公開される映画、演劇、演奏その他のイベントに関連するコンテンツを前記ユーザ端末に提供するものであって、
前記コンテンツを全て閲覧又は聴取又は視聴するのに要する時間と前記ユーザが前記コンテンツを閲覧又は聴取又は視聴した実時間との関係に関する情報に対応づけて、そのコンテンツを閲覧又は聴取又は視聴したユーザの視聴質ランクに係る情報を実績情報として記憶する閲覧度合視聴質ランク実績記憶手段をさらに備え、
前記ユーザ視聴質取得手段は、前記ユーザ端末によってコンテンツが要求された場合に、前記ユーザが前記コンテンツを閲覧又は聴取又は視聴した実時間を取得し、前記コンテンツを全て閲覧又は聴取又は視聴するのに要する時間と取得した実時間との関係を求め、求めた関係と前記閲覧度合視聴質ランク実績記憶手段に記憶された情報とに基づいて、当該コンテンツを要求した前記ユーザの視聴質を決定しかつ取得することを特徴とする請求項２記載の広告システム。
【請求項１１】
前記ユーザ視聴質取得手段は、前記閲覧度合視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする請求項１０記載の広告システム。
【請求項１２】
前記広告システムは、
前記コンテンツの提供に係る日又は日時又は時刻を示す情報を記憶する主題情報記憶手段と、
前記コンテンツの提供に係る日又は日時又は時刻と前記ユーザ端末をユーザが操作して前記コンテンツに到達した日又は日時又は時刻との差分に対応づけて、そのコンテンツを要求したユーザの視聴質ランクに係る情報を実績情報として記憶する到達時間視聴質ランク実績記憶手段とをさらに備え、
前記ユーザ視聴質取得手段は、前記ユーザ端末によってコンテンツが要求された場合に、前記主題情報記憶手段に記憶された情報に基づいて、前記コンテンツの提供に係る日又は日時又は時刻と前記コンテンツに到達した日又は日時又は時刻との差分を到達時間として求め、求めた到達時間と前記到達時間視聴質ランク実績記憶手段に記憶された情報とに基づいて、当該コンテンツを要求した前記ユーザの視聴質を決定しかつ取得することを特徴とする請求項２記載の広告システム。
【請求項１３】
前記ユーザ視聴質取得手段は、前記到達時間視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする請求項１２記載の広告システム。
【請求項１４】
前記広告システムは、前記ユーザが前記コンテンツに到達するために用いた手段又は契機を示す情報に対応づけて、そのコンテンツに到達したユーザの視聴質ランクに係る情報を実績情報として記憶する到達方法視聴質ランク実績記憶手段をさらに備え、
前記ユーザ視聴質取得手段は、前記ユーザ端末によってコンテンツが要求された場合に、当該コンテンツ要求情報に含まれる、前記ユーザが前記コンテンツに到達するために用いた手段又は契機を示す情報を取得し、取得した前記到達の手段又は契機を示す情報と前記到達方法視聴質ランク実績記憶手段に記憶された情報とに基づいて、当該コンテンツを要求した前記ユーザの視聴質を決定しかつ取得することを特徴とする請求項２記載の広告システム。
【請求項１５】
前記ユーザ視聴質取得手段は、前記到達方法視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする請求項１４記載の広告システム。
【請求項１６】
前記広告システムは、前記コンテンツを全て閲覧又は聴取又は視聴するのに要する時間と前記ユーザが前記コンテンツを閲覧又は聴取又は視聴した実時間との関係に関する情報に対応づけて、そのコンテンツを閲覧又は聴取又は視聴したユーザの視聴質ランクに係る情報を実績情報として記憶する閲覧度合視聴質ランク実績記憶手段をさらに備え、
前記ユーザ視聴質取得手段は、前記ユーザ端末によってコンテンツが要求された場合に、前記ユーザが前記コンテンツを閲覧又は聴取又は視聴した実時間を取得し、前記コンテンツを全て閲覧又は聴取又は視聴するのに要する時間と取得した実時間との関係を求め、求めた関係と前記閲覧度合視聴質ランク実績記憶手段に記憶された情報とに基づいて、当該コンテンツを要求した前記ユーザの視聴質を決定しかつ取得することを特徴とする請求項２記載の広告システム。
【請求項１７】
前記ユーザ視聴質取得手段は、前記閲覧度合視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする請求項１６記載の広告システム。
【請求項１８】
ユーザの視聴質ランク毎に視聴質ポイント値を記憶する視聴質ポイント記憶手段をさらに備え、
前記広告制御情報記憶手段は、前記制御情報として、広告毎ののべ視聴質ポイント値を記憶するものであって、
前記広告制御手段は、前記広告制御情報記憶手段にのべ視聴質ポイント値が記憶された広告の広告データを前記ユーザ端末へ送信する場合に、前記ユーザ視聴質取得手段により取得された視聴質ランクに基づいて前記視聴質ポイント記憶手段に記憶された視聴質ポイント値を取得し、取得した視聴質ポイント値の累積値が前記広告制御情報記憶手段に記憶されたのべ視聴質ポイント値に達するまで、当該広告の広告データを前記ユーザ端末に送信させることを特徴とする請求項２から１７のいずれかに記載の広告システム。
【請求項１９】
ユーザの視聴質ランク毎に広告単価を記憶する視聴質単価記憶手段をさらに備え、
前記広告制御情報記憶手段は、前記制御情報として、広告毎の合計広告金額を記憶するものであって、
前記広告制御手段は、前記広告制御情報記憶手段に合計広告金額が記憶された広告の広告データを前記ユーザ端末へ送信する場合に、前記ユーザ視聴質取得手段により取得された視聴質ランクに基づいて前記視聴質単価記憶手段に記憶された単価を取得し、取得した単価の累積値が前記広告制御情報記憶手段に記憶された合計広告金額に達するまで当該広告の広告データを前記ユーザ端末に送信させることを特徴とする請求項２から１７のいずれかに記載の広告システム。
【請求項２０】
ユーザの視聴質ランク毎に視聴質度合を記憶する視聴質度合記憶手段をさらに備え、
前記広告制御情報記憶手段は、前記制御情報として、広告毎の平均視聴質度合を記憶するものであって、
前記広告制御手段は、前記広告制御情報記憶手段に平均視聴質度合が記憶された広告の広告データを前記ユーザ端末へ送信する場合に、前記ユーザ視聴質取得手段により取得された視聴質ランクに基づいて前記視聴質度合記憶手段に記憶された視聴質度合を取得し、当該広告について取得した視聴質の平均値が前記広告制御情報記憶手段に記憶された平均視聴質度合に一致するように当該広告の広告データを前記ユーザ端末に送信させることを特徴とする請求項２から１９のいずれかに記載の広告システム。
【請求項２１】
ユーザが操作するユーザ端末によって広告提供対象の情報がアクセスされたときに、そのユーザ端末に対して広告データを送信し、前記ユーザ端末において広告を出力させる広告システムにおける広告制御方法であって、
前記広告システムは、前記ユーザ端末に広告を出力させる条件を示す制御情報であって、広告主または代理人によって予め指定されまたは選択される広告送信先ユーザの視聴質に関連づけられた前記制御情報を、広告毎に記憶する広告制御情報記憶手段を備え、
前記ユーザ端末からの要求により要求された前記情報が前記ユーザ端末に提供された状態で前記ユーザ端末により所定のコンテンツが要求されたときに、当該コンテンツを要求した前記ユーザの視聴質を決定しかつ取得し、
取得した視聴質と、前記広告制御情報記憶手段に記憶された前記制御情報とに基づいて、前記出力条件を満たす広告を決定し、前記ユーザ端末に対し広告データ送信する動作を制御すること、
を特徴とする広告制御方法。
【請求項２２】
ユーザが操作するユーザ端末によって広告提供対象の情報がアクセスされたときに、そのユーザ端末に対して広告データを送信し、前記ユーザ端末において広告を出力させる広告システムにおける広告評価方法であって、
前記広告システムは、前記ユーザ端末に対して前記広告データを送信して広告を出力させる広告出力ステップと、
前記広告出力ステップの前または後において、前記ユーザ端末を操作するユーザの視聴質を取得する視聴質取得ステップと、
前記広告出力ステップ及び前記視聴質取得ステップの後に、前記視聴質取得ステップで取得した視聴質を、前記広告に対応づけて記録する記録ステップと、
を含み、
前記視聴質取得ステップにおいて取得される前記ユーザの視聴質は、前記ユーザ端末からの要求により要求された前記情報が前記ユーザ端末に提供された状態で前記ユーザ端末により所定のコンテンツが要求されたときに決定されることを特徴とする広告評価方法。
【請求項２３】
前記広告システムは、前記視聴質取得ステップにおいて、前記ユーザ端末を操作するユーザの視聴質を数値化した視聴質ランクを取得し、
前記記録ステップにおいて、前記視聴質取得ステップで取得した視聴質ランクを、前記広告に対応づけて記録することを特徴とする請求項２２記載の広告評価方法。
【手続補正２】
【補正対象書類名】明細書
【補正対象項目名】０００８
【補正方法】変更
【補正の内容】
【０００８】
上記の目的を達成するために、請求項１記載の発明は、ユーザが操作するユーザ端末によって広告提供対象の情報がアクセスされたときに、そのユーザ端末に対して広告データを送信し、前記ユーザ端末において広告を出力させる広告システムであって、前記ユーザ端末に広告を出力させる条件を示す制御情報であって、広告主または代理人によって予め指定されまたは選択される広告出力先ユーザの視聴質に関連づけられた前記制御情報を、広告毎に記憶する広告制御情報記憶手段と、前記ユーザ端末からの要求により要求された前記情報が前記ユーザ端末に提供された状態で前記ユーザ端末により所定のコンテンツが要求されたときに、当該コンテンツを要求した前記ユーザの視聴質を決定しかつ取得するユーザ視聴質取得手段と、前記広告制御情報記憶手段に記憶された前記制御情報と、前記ユーザ視聴質取得手段により取得された前記ユーザの視聴質に基づいて、前記出力条件を満たす広告を決定し、前記コンテンツを要求したユーザ端末に対し広告データを送信する動作を制御する広告制御手段とを備えることを特徴とする。
【手続補正３】
【補正対象書類名】明細書
【補正対象項目名】０００９
【補正方法】変更
【補正の内容】
【０００９】
請求項２記載の発明は、請求項１記載の広告システムにおいて、広告制御情報記憶手段は、前記広告主また代理人によって予め指定されまたは選択される広告出力先ユーザの視聴質ランクを、ユーザ端末に広告を出力させる条件を示す制御情報として広告毎に記憶するものであり、前記ユーザ視聴質取得手段は、前記ユーザ端末を操作して前記コンテンツを要求した前記ユーザの視聴質を数値化した視聴質ランクを取得するものであり、前記広告制御手段は、前記広告制御情報記憶手段に記憶された制御情報と、前記ユーザ視聴質取得手段により取得された視聴質ランクに基づいて、前記出力条件を満たす広告データを決定し、前記コンテンツを要求したユーザ端末に対し広告データを送信する動作を制御することを特徴とする。
【手続補正４】
【補正対象書類名】明細書
【補正対象項目名】００１０
【補正方法】変更
【補正の内容】
【００１０】
請求項３記載の発明は、請求項２記載の広告システムにおいて、前記ユーザ視聴質取得手段が取得する、前記コンテンツを要求した前記ユーザの視聴質ランクは、視聴質ランク取得用のアンケートに対して前記ユーザ端末の操作により入力される回答に基づいて決定されることを特徴とする。
【手続補正５】
【補正対象書類名】明細書
【補正対象項目名】００１１
【補正方法】変更
【補正の内容】
【００１１】
請求項４記載の発明は、請求項２記載の広告システムにおいて、前記広告システムは、前記ユーザ端末に対して提供されるコンテンツ毎に、コンテンツを要求したユーザの視聴質ランクに係る情報を実績情報として記憶するコンテンツ毎視聴質ランク実績記憶手段をさらに備え、前記ユーザ視聴質取得手段が取得する、前記コンテンツを要求したユーザの視聴質ランクは、前記ユーザ端末によりコンテンツが要求された場合に、その要求されたコンテンツに対応して前記コンテンツ毎視聴質ランク実績記憶手段に記憶された実績情報に基づいて決定されることを特徴とする。
【手続補正６】
【補正対象書類名】明細書
【補正対象項目名】００１２
【補正方法】変更
【補正の内容】
【００１２】
請求項５記載の発明は、請求項４記載の広告システムにおいて、前記ユーザ視聴質取得手段は、前記コンテンツ毎視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする。
【手続補正７】
【補正対象書類名】明細書
【補正対象項目名】００１３
【補正方法】変更
【補正の内容】
【００１３】
請求項６記載の発明は、請求項２記載の広告システムにおいて、前記広告システムは、前記ユーザ端末からの要求に応じて、有線又は無線により放送される番組、劇場公開される映画、演劇、演奏その他のイベントに関連するコンテンツを前記ユーザ端末に提供するものであって、前記ユーザ端末に提供されるコンテンツに対応づけて、当該コンテンツが関連する放送番組、映画、演劇、演奏その他のイベントの提供に係る日又は日時又は時刻を示す情報を記憶する主題情報記憶手段と、前記ユーザ端末によりコンテンツが要求された日又は日時又は時刻と、当該コンテンツが関連する放送番組、映画、演劇、演奏その他のイベントの提供に係る日又は日時又は時刻との前後関係に対応づけて、当該コンテンツを要求したユーザの視聴質ランクに係る情報を実績情報として記憶する提供時間視聴質ランク実績記憶手段とをさらに備え、前記ユーザ視聴質取得手段は、前記ユーザ端末によってコンテンツが要求された場合に、前記主題情報記憶手段に記憶された情報に基づいて、コンテンツが要求された日又は日時又は時刻と当該コンテンツが関連する放送番組、映画、演劇、演奏その他のイベントの提供に係る日又は日時又は時刻との前後関係を求め、求めた前後関係と前記提供時間視聴質ランク実績記憶手段に記憶された情報とに基づいて、当該コンテンツを要求した前記ユーザの視聴質を決定しかつ取得することを特徴とする。
【手続補正８】
【補正対象書類名】明細書
【補正対象項目名】００１４
【補正方法】変更
【補正の内容】
【００１４】
請求項７記載の発明は、請求項６記載の広告システムにおいて、前記ユーザ視聴質取得手段は、前記提供時間視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする。
【手続補正９】
【補正対象書類名】明細書
【補正対象項目名】００１５
【補正方法】変更
【補正の内容】
【００１５】
請求項８記載の発明は、請求項２記載の広告システムにおいて、前記広告システムは、前記ユーザ端末からの要求に応じて、有線又は無線により放送される番組、劇場公開される映画、演劇、演奏その他のイベントに関連するコンテンツを前記ユーザ端末に提供するものであって、前記ユーザが前記コンテンツに到達するために用いた手段又は契機を示す情報に対応づけて、そのコンテンツに到達したユーザの視聴質ランクに係る情報を実績情報として記憶する到達方法視聴質ランク実績記憶手段をさらに備え、前記ユーザ視聴質取得手段は、前記ユーザ端末によってコンテンツが要求された場合に、当該コンテンツ要求情報に含まれる、前記ユーザが前記コンテンツに到達するために用いた手段又は契機を示す情報を取得し、取得した到達の手段又は契機を示す情報と前記到達方法視聴質ランク実績記憶手段に記憶された情報とに基づいて、当該コンテンツを要求した前記ユーザの視聴質を決定しかつ取得することを特徴とする。
【手続補正１０】
【補正対象書類名】明細書
【補正対象項目名】００１６
【補正方法】変更
【補正の内容】
【００１６】
請求項９記載の発明は、請求項８記載の広告システムにおいて、前記ユーザ視聴質取得手段は、前記到達方法視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする。
【手続補正１１】
【補正対象書類名】明細書
【補正対象項目名】００１７
【補正方法】変更
【補正の内容】
【００１７】
請求項１０記載の発明は、請求項２記載の広告システムにおいて、前記広告システムは、前記ユーザ端末からの要求に応じて、有線又は無線により放送される番組、劇場公開される映画、演劇、演奏その他のイベントに関連するコンテンツを前記ユーザ端末に提供するものであって、前記コンテンツを全て閲覧又は聴取又は視聴するのに要する時間と前記ユーザが前記コンテンツを閲覧又は聴取又は視聴した実時間との関係に関する情報に対応づけて、そのコンテンツを閲覧又は聴取又は視聴したユーザの視聴質ランクに係る情報を実績情報として記憶する閲覧度合視聴質ランク実績記憶手段をさらに備え、前記ユーザ視聴質取得手段は、前記ユーザ端末によってコンテンツが要求された場合に、前記ユーザが前記コンテンツを閲覧又は聴取又は視聴した実時間を取得し、前記コンテンツを全て閲覧又は聴取又は視聴するのに要する時間と取得した実時間との関係を求め、求めた関係と前記閲覧度合視聴質ランク実績記憶手段に記憶された情報とに基づいて、当該コンテンツを要求した前記ユーザの視聴質を決定しかつ取得することを特徴とする。
【手続補正１２】
【補正対象書類名】明細書
【補正対象項目名】００１８
【補正方法】変更
【補正の内容】
【００１８】
請求項１１記載の発明は、請求項１０記載の広告システムにおいて、前記ユーザ視聴質取得手段は、前記閲覧度合視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする。
【手続補正１３】
【補正対象書類名】明細書
【補正対象項目名】００１９
【補正方法】変更
【補正の内容】
【００１９】
請求項１２記載の発明は、請求項２記載の広告システムにおいて、前記コンテンツの提供に係る日又は日時又は時刻を示す情報を記憶する主題情報記憶手段と、前記コンテンツの提供に係る日又は日時又は時刻と前記ユーザ端末をユーザが操作して前記コンテンツに到達した日又は日時又は時刻との差分に対応づけて、そのコンテンツを要求したユーザの視聴質ランクに係る情報を実績情報として記憶する到達時間視聴質ランク実績記憶手段とをさらに備え、前記ユーザ視聴質取得手段は、前記ユーザ端末によってコンテンツが要求された場合に、前記主題情報記憶手段に記憶された情報に基づいて、前記コンテンツの提供に係る日又は日時又は時刻と前記コンテンツに到達した日又は日時又は時刻との差分を到達時間として求め、求めた到達時間と前記到達時間視聴質ランク実績記憶手段に記憶された情報とに基づいて、当該コンテンツを要求した前記ユーザの視聴質を決定しかつ取得することを特徴とする。
【手続補正１４】
【補正対象書類名】明細書
【補正対象項目名】００２０
【補正方法】変更
【補正の内容】
【００２０】
請求項１３記載の発明は、請求項１２記載の広告システムにおいて、前記ユーザ視聴質取得手段は、前記到達時間視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする。
【手続補正１５】
【補正対象書類名】明細書
【補正対象項目名】００２１
【補正方法】変更
【補正の内容】
【００２１】
請求項１４記載の発明は、請求項２記載の広告システムにおいて、前記ユーザが前記コンテンツに到達するために用いた手段又は契機を示す情報に対応づけて、そのコンテンツに到達したユーザの視聴質ランクに係る情報を実績情報として記憶する到達方法視聴質ランク実績記憶手段をさらに備え、前記ユーザ視聴質取得手段は、前記ユーザ端末によってコンテンツが要求された場合に、当該コンテンツ要求情報に含まれる、前記ユーザが前記コンテンツに到達するために用いた手段又は契機を示す情報を取得し、取得した前記到達の手段又は契機を示す情報と前記到達方法視聴質ランク実績記憶手段に記憶された情報とに基づいて、当該コンテンツを要求した前記ユーザの視聴質を決定しかつ取得することを特徴とする。
【手続補正１６】
【補正対象書類名】明細書
【補正対象項目名】００２２
【補正方法】変更
【補正の内容】
【００２２】
請求項１５記載の発明は、請求項１４記載の広告システムにおいて、前記ユーザ視聴質取得手段は、前記到達方法視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする。
【手続補正１７】
【補正対象書類名】明細書
【補正対象項目名】００２３
【補正方法】変更
【補正の内容】
【００２３】
請求項１６記載の発明は、請求項２記載の広告システムにおいて、前記コンテンツを全て閲覧又は聴取又は視聴するのに要する時間と前記ユーザが前記コンテンツを閲覧又は聴取又は視聴した実時間との関係に関する情報に対応づけて、そのコンテンツを閲覧又は聴取又は視聴したユーザの視聴質ランクに係る情報を実績情報として記憶する閲覧度合視聴質ランク実績記憶手段をさらに備え、前記ユーザ視聴質取得手段は、前記ユーザ端末によってコンテンツが要求された場合に、前記ユーザが前記コンテンツを閲覧又は聴取又は視聴した実時間を取得し、前記コンテンツを全て閲覧又は聴取又は視聴するのに要する時間と取得した実時間との関係を求め、求めた関係と前記閲覧度合視聴質ランク実績記憶手段に記憶された情報とに基づいて、当該コンテンツを要求した前記ユーザの視聴質を決定しかつ取得することを特徴とする。
【手続補正１８】
【補正対象書類名】明細書
【補正対象項目名】００２４
【補正方法】変更
【補正の内容】
【００２４】
請求項１７記載の発明は、請求項１６記載の広告システムにおいて、前記ユーザ視聴質取得手段は、前記閲覧度合視聴質ランク実績記憶手段に記憶された実績情報を更新する機能を備え、当該実績情報は、視聴質ランク取得用のアンケートに対して前記ユーザ端末の操作により入力される回答に基づいて前記コンテンツを要求したユーザの視聴質ランクを決定した後に、当該ユーザの視聴質ランクに基づいて更新されることを特徴とする。
【手続補正１９】
【補正対象書類名】明細書
【補正対象項目名】００２８
【補正方法】変更
【補正の内容】
【００２８】
また、請求項２１記載の発明は、ユーザが操作するユーザ端末によって広告提供対象の情報がアクセスされたときに、そのユーザ端末に対して広告データを送信し、前記ユーザ端末において広告を出力させる広告システムにおける広告制御方法であって、前記広告システムは、前記ユーザ端末に広告を出力させる条件を示す制御情報、広告主または代理人によって予め指定されまたは選択される広告送信先ユーザの視聴質に関連づけられた前記制御情報を、広告毎に記憶する広告制御情報記憶手段を備え、前記ユーザ端末からの要求により要求された前記情報が前記ユーザ端末に提供された状態で前記ユーザ端末により所定のコンテンツが要求されたときに、当該コンテンツを要求した前記ユーザの視聴質を決定しかつ取得し、取得した視聴質と、前記広告制御情報記憶手段に記憶された前記制御情報とに基づいて、前記出力条件を満たす広告データを決定し、前記ユーザ端末に対し広告データを送信する動作を制御することを特徴とする。
【手続補正２０】
【補正対象書類名】明細書
【補正対象項目名】００２９
【補正方法】変更
【補正の内容】
【００２９】
請求項２２記載の発明は、ユーザが操作するユーザ端末によって広告提供対象の情報がアクセスされたときに、そのユーザ端末に対して広告データを送信し、前記ユーザ端末において広告を出力させる広告システムにおける広告評価方法であって、前記広告システムは、前記ユーザ端末に対して前記広告データを送信して広告を出力させる広告出力ステップと、前記広告出力ステップの前または後において、前記ユーザ端末を操作するユーザの視聴質を取得する視聴質取得ステップと、前記広告出力ステップ及び前記視聴質取得ステップの後に、前記視聴質取得ステップで取得した視聴質を、前記広告に対応づけて記録する記録ステップとを含み、前記視聴質取得ステップにおいて取得される前記ユーザの視聴質は、前記ユーザ端末からの要求により要求された前記情報が前記ユーザ端末に提供された状態で前記ユーザ端末により所定のコンテンツが要求されたときに決定されることを特徴とする。
【手続補正２１】
【補正対象書類名】明細書
【補正対象項目名】００３１
【補正方法】変更
【補正の内容】
【００３１】
請求項１及び２１記載の発明によれば、ユーザが操作するユーザ端末によって広告提供対象の情報がアクセスされたときに、そのユーザ端末に対して広告データを送信し、前記ユーザ端末において広告を出力させる広告システムにおいて、ユーザ端末に広告を出力させる条件を示す制御情報であって、広告主または代理人によって予め指定されまたは選択される広告出力先ユーザの視聴質に関連づけられた制御情報を、広告毎に広告制御情報記憶手段に記憶し、ユーザ端末からの要求により要求された情報がユーザ端末に提供された状態でユーザ端末により所定のコンテンツが要求されたときに、当該コンテンツを要求したユーザの視聴質をユーザ視聴質取得手段によって決定しかつ取得し、広告制御手段により、広告制御情報記憶手段に記憶された制御情報と、ユーザ視聴質取得手段により取得されたユーザの視聴質に基づいて、出力条件を満たす広告を決定し、コンテンツを要求したユーザ端末に対し広告データを送信する動作を制御する。
ここで、視聴質とは、広告または広告が関連する事柄に対するユーザの関心を示し、例えばテレビ放送される番組を媒体として広告を行う場合、当該番組自体、当該番組に関連するウェブページ、或いは当該広告自体に対するユーザの関心を示す。視聴質ランクとは、視聴質を複数の段階に分けて示す尺度である。視聴質が高いユーザとは、高い関心を抱いているユーザのことを指す。
従って、本発明によれば、ユーザ端末を操作してコンテンツを要求したユーザの視聴質（例えば、テレビ放送される番組自体、当該番組に関連するウェブページ、或いは当該広告自体に対するユーザの関心度）と、広告主または代理人によって予め指定されまたは選択される広告出力条件に応じて、広告を出力させることができるので、例えば、高い関心を持つユーザに限って広告を出力する等の処理を行うことができ、効率よく高い広告効果を得ることができる。
【手続補正２２】
【補正対象書類名】明細書
【補正対象項目名】００３２
【補正方法】変更
【補正の内容】
【００３２】
請求項２記載の発明によれば、広告制御情報記憶手段は、広告主または代理人によって予め指定されまたは選択される広告出力先ユーザの視聴質ランクを、ユーザ端末に広告を出力させる条件を示す制御情報として広告毎に記憶するものであり、ユーザ視聴質取得手段は、ユーザ端末を操作してコンテンツを要求したユーザの視聴質を数値化した視聴質ランクを取得するものであり、広告制御手段は、広告制御情報記憶手段に記憶された制御情報と、ユーザ視聴質取得手段により取得された視聴質ランクに基づいて、出力条件を満たす広告を決定し、コンテンツを要求したユーザ端末に対し広告データを送信する動作を制御する。したがって、コンテンツを要求したユーザの視聴質（例えば、テレビ放送される番組自体、当該番組に関連するウェブページ、或いは当該広告自体に対するユーザの関心度）を、数値化された視聴質ランクとして取得及び処理することにより、処理の高速化及び効率化を図ることができる。また、ユーザの視聴質を数値化することで定量的な分析が可能となり、広告効果等の統計的考察等が可能となる。このため、極めて高精度の広告効果の予測等が可能となる。
【手続補正２３】
【補正対象書類名】明細書
【補正対象項目名】００３３
【補正方法】変更
【補正の内容】
【００３３】
請求項３記載の発明によれば、ユーザ視聴質取得手段が取得する、前記コンテンツを要求した前記ユーザの視聴質ランクは、視聴質ランク取得用のアンケートに対して前記ユーザ端末の操作により入力される回答に基づいて決定されるので、ユーザ端末を操作するユーザに直接的な意思表示を行わせることにより、コンテンツを要求したユーザの正確な視聴質ランクを取得できる。
【手続補正２４】
【補正対象書類名】明細書
【補正対象項目名】００３４
【補正方法】変更
【補正の内容】
【００３４】
請求項４記載の発明によれば、広告システムが、ユーザ端末からの要求に応じてコンテンツをユーザ端末に提供するものであり、ユーザ端末に対して提供されるコンテンツ毎に、コンテンツを要求したユーザの視聴質ランクに係る情報を実績情報としてコンテンツ毎視聴質ランク実績記憶手段に記憶し、ユーザ視聴質取得手段が取得する、コンテンツを要求したユーザの視聴質ランクは、ユーザ端末によりコンテンツが要求された場合に、その要求されたコンテンツに対応してコンテンツ毎視聴質ランク実績記憶手段に記憶された実績情報に基づいて決定されるので、ユーザがユーザ端末を操作してコンテンツを要求するだけで、実績情報に基づいたユーザの視聴質ランクを決定し、取得できる。従って、視聴質ランクを取得するためのユーザの操作を省くことにより、ユーザの利便性を向上させ、さらには広告に対するユーザの関心を低下させないという効果が得られる。
【手続補正２５】
【補正対象書類名】明細書
【補正対象項目名】００３５
【補正方法】変更
【補正の内容】
【００３５】
請求項５記載の発明によれば、ユーザ視聴質取得手段が、コンテンツ毎視聴質ランク実績記憶手段に記憶された実績情報を更新する機能を備え、当該実績情報は、視聴質ランク取得用のアンケートに対して前記ユーザ端末の操作により入力される回答に基づいてコンテンツを要求したユーザの視聴質ランクを決定した後に、当該ユーザの視聴質ランクに基づいて更新されるので、アンケートの回答によって、コンテンツを要求したユーザのより正確な視聴質ランクを決定し取得できた場合に、より正確なその視聴質ランクに基づいてコンテンツ毎視聴質ランク実績記憶手段の実績情報を更新することで、コンテンツ毎視聴質ランク実績記憶手段に記憶される実績情報の質を高めることができる。これにより、コンテンツ毎視聴質ランク実績記憶手段に記憶された実績情報に基づいて、コンテンツを要求したユーザの視聴質ランクを決定し取得する場合の確度を、より一層向上させることができる。
【手続補正２６】
【補正対象書類名】明細書
【補正対象項目名】００３６
【補正方法】変更
【補正の内容】
【００３６】
請求項６記載の発明によれば、広告システムが、ユーザ端末からの要求に応じて、有線又は無線により放送される番組、劇場公開される映画、演劇、演奏その他のイベントに関連するコンテンツをユーザ端末に提供するものであり、ユーザ端末に提供されるコンテンツに対応づけて、当該コンテンツが関連する放送番組、映画、演劇、演奏その他のイベントの提供に係る日又は日時又は時刻を示す情報を主題情報記憶手段に記憶し、ユーザ端末によりコンテンツが要求された日又は日時又は時刻と、当該コンテンツが関連する放送番組、映画、演劇、演奏その他のイベントの提供に係る日又は日時又は時刻との前後関係に対応づけて、コンテンツを要求したユーザの視聴質ランクに係る情報を実績情報として提供時間視聴質ランク実績記憶手段に記憶しており、ユーザ視聴質取得手段が、ユーザ端末によってコンテンツが要求された場合に、主題情報記憶手段に記憶された情報に基づいて、コンテンツが要求された日又は日時又は時刻と当該コンテンツが関連する放送番組、映画、演劇、演奏その他のイベントの提供に係る日又は日時又は時刻との前後関係を求め、求めた前後関係と提供時間視聴質ランク実績記憶手段に記憶された情報とに基づいて、ユーザ端末を操作するユーザの視聴質ランクを取得する。ここで、放送番組、映画、演劇、演奏その他のイベントの提供に係る日又は日時又は時刻とは、例えば、放送番組の場合、番組の放送日時、番組の放送開始日時、番組を記録した記録媒体または番組の映像データ自体の発売日時、ペイパービュー（pay  per  view）方式等における番組の発売日時、オンデマンド放送等における番組の視聴開始日時、番組の予告映像等の放送日時や視聴開始日時若しくは配布日等を指す。また、映画の場合、劇場公開日時、映画を記録した記録媒体または映画の映像データ自体の発売日時、ペイパービュー（pay  per  view）方式等における映画の発売日時、オンデマンド放送等における映画の視聴開始日時、映画の予告映像等の放送日時や視聴開始日時若しくは配布日等をいう。さらに、演劇、演奏その他のイベントの場合、イベントの上演日時等をいう。これにより、ユーザがユーザ端末を操作してコンテンツを要求するだけで、コンテンツを要求したタイミングと実績情報とに基づいたユーザの視聴質ランクを決定し、取得できる。従って、視聴質ランクを取得するためのユーザの操作を省くことにより、ユーザの利便性を向上させ、さらには広告に対するユーザの関心を低下させないという効果が得られる。また、放送番組、映画、演劇、演奏その他のイベントに関連するコンテンツを要求するユーザについては、そのコンテンツを要求するタイミングと、上記放送番組等及びコンテンツに関する関心度すなわち視聴質とが、一定の関連を有する場合が多いので、ユーザの視聴質を簡単かつ確実に取得することができる。
【手続補正２７】
【補正対象書類名】明細書
【補正対象項目名】００３７
【補正方法】変更
【補正の内容】
【００３７】
請求項７記載の発明によれば、ユーザ視聴質取得手段が、提供時間視聴質ランク実績記憶手段に記憶された実績情報を更新する機能を備え、当該実績情報は、視聴質ランク取得用のアンケートに対して前記ユーザ端末の操作により入力される回答に基づいてコンテンツを要求したユーザの視聴質ランクを決定した後に、当該ユーザの視聴質ランクに基づいて更新されるので、アンケートの回答によって、コンテンツを要求したユーザのより正確な視聴質ランクを決定し取得できた場合に、より正確なその視聴質ランクに基づいて提供時間視聴質ランク実績記憶手段の実績情報を更新することで、提供時間視聴質ランク実績記憶手段に記憶される実績情報の質を高めることができる。これにより、提供時間視聴質ランク実績記憶手段に記憶された実績情報に基づいて、コンテンツを要求したユーザの視聴質ランクを決定し取得する場合の確度を、より一層向上させることができる。
【手続補正２８】
【補正対象書類名】明細書
【補正対象項目名】００３８
【補正方法】変更
【補正の内容】
【００３８】
請求項８記載の発明によれば、広告システムが、ユーザ端末からの要求に応じて、有線又は無線により放送される番組、劇場公開される映画、演劇、演奏その他のイベントに関連するコンテンツを前記ユーザ端末に提供するものであって、ユーザが前記コンテンツに到達するために用いた手段又は契機を示す情報に対応づけて、そのコンテンツに到達したユーザの視聴質ランクに係る情報を実績情報として記憶する到達方法視聴質ランク実績記憶手段をさらに備え、ユーザ視聴質取得手段は、ユーザ端末によってコンテンツが要求された場合に、コンテンツ要求情報に含まれる、ユーザが前記コンテンツに到達するために用いた手段又は契機を示す情報を取得し、取得した到達の手段又は契機を示す情報と到達方法視聴質ランク実績記憶手段に記憶された情報とに基づいて、当該コンテンツを要求したユーザの視聴質を決定しかつ取得する。ここで、ユーザがコンテンツに到達するために用いた手段又は契機を示す情報としては、例えば、ユーザサイトのブックマークからアクセスしたとき、ユーザがＲＳＳ（RDF  Site  Summary）リーダからアクセスしたとき、印刷物、例えばポスターの二次元バーコードからアクセスしたときの、ＵＲＬ（Uniform  Resource  Locator）リクエストに含まれるパラメータ識別子、ユーザがサーチエンジンからアクセスしたときのリクエスト元ＵＲＬ、別のウェブサイトのウェブページ上に設けられた関連リンクからアクセスしたときのリクエスト元ＵＲＬの関連タグ（記述）等が挙げられるが、これらに限定されるものではない。請求項８記載の発明においても、ユーザがユーザ端末を操作してコンテンツを要求するだけで、コンテンツへの到達方法と実績情報とに基づいたユーザの視聴質ランクを決定し、取得できる。また、コンテンツに到達するために用いた手段又は契機と、上記放送番組等及びコンテンツに関する関心度すなわち視聴質とが、一定の関連を有する場合が多いので、ユーザの視聴質を簡単かつ確実に取得するのに役立つ。
【手続補正２９】
【補正対象書類名】明細書
【補正対象項目名】００３９
【補正方法】変更
【補正の内容】
【００３９】
請求項９記載の発明によれば、ユーザ視聴質取得手段が、到達方法視聴質ランク実績記憶手段に記憶された実績情報を更新する機能を備え、当該実績情報は、視聴質ランク取得用のアンケートに対して前記ユーザ端末の操作により入力される回答に基づいてコンテンツを要求したユーザの視聴質ランクを決定した後に、当該ユーザの視聴質ランクに基づいて更新されるので、アンケートの回答によって、コンテンツを要求したユーザのより正確な視聴質ランクを決定し取得できた場合に、より正確なその視聴質ランクに基づいて到達方法視聴質ランク実績記憶手段の実績情報を更新することで、到達方法視聴質ランク実績記憶手段に記憶される実績情報の質を高めることができる。これにより、到達方法視聴質ランク実績記憶手段に記憶された実績情報に基づいて、コンテンツを要求したユーザの視聴質ランクを決定し取得する場合の確度を、より一層向上させることができる。
【手続補正３０】
【補正対象書類名】明細書
【補正対象項目名】００４０
【補正方法】変更
【補正の内容】
【００４０】
請求項１０記載の発明によれば、広告システムが、ユーザ端末からの要求に応じて、有線又は無線により放送される番組、劇場公開される映画、演劇、演奏その他のイベントに関連するコンテンツをユーザ端末に提供するものであって、コンテンツを全て閲覧又は聴取又は視聴するのに要する時間とユーザがコンテンツを閲覧又は聴取又は視聴した実時間との関係に関する情報に対応づけて、そのコンテンツを閲覧又は聴取又は視聴したユーザの視聴質ランクに係る情報を実績情報として閲覧度合視聴質ランク実績記憶手段に記憶し、ユーザ視聴質取得手段が、ユーザ端末によってコンテンツが要求された場合に、ユーザがコンテンツを閲覧又は聴取又は視聴した実時間を取得し、コンテンツを全て閲覧又は聴取又は視聴するのに要する時間と取得した実時間との関係を求め、求めた関係と閲覧度合視聴質ランク実績記憶手段に記憶された情報とに基づいて、当該コンテンツを要求したユーザの視聴質を決定しかつ取得する。コンテンツの閲覧に通常要する時間とコンテンツを要求したユーザがそのコンテンツを実際に閲覧等した時間との関係と、上記放送番組等及びコンテンツに関する関心度すなわち視聴質とが、一定の関連を有する場合が多いので、ユーザの視聴質を簡単かつ確実に取得するのに役立つ。
【手続補正３１】
【補正対象書類名】明細書
【補正対象項目名】００４１
【補正方法】変更
【補正の内容】
【００４１】
請求項１１記載の発明によれば、ユーザ視聴質取得手段が、閲覧度合視聴質ランク実績記憶手段に記憶された実績情報を更新する機能を備え、当該実績情報は、視聴質ランク取得用のアンケートに対してユーザ端末の操作により入力される回答に基づいてコンテンツを要求したユーザの視聴質ランクを決定した後に、当該ユーザの視聴質ランクに基づいて更新されるので、アンケートの回答によって、コンテンツを要求したユーザのより正確な視聴質ランクを決定し取得できた場合に、より正確なその視聴質ランクに基づいて閲覧度合視聴質ランク実績記憶手段の実績情報を更新することで、閲覧度合視聴質ランク実績記憶手段に記憶される実績情報の質を高めることができる。これにより、閲覧度合視聴質ランク実績記憶手段に記憶された実績情報に基づいて、コンテンツを要求したユーザの視聴質ランクを決定し取得する場合の確度を、より一層向上させることができる。
【手続補正３２】
【補正対象書類名】明細書
【補正対象項目名】００４２
【補正方法】変更
【補正の内容】
【００４２】
請求項１２記載の発明によれば、主題情報記憶手段がコンテンツの提供に係る日又は日時又は時刻を示す情報を記憶し、到達時間視聴質ランク実績記憶手段が、コンテンツの提供に係る日又は日時又は時刻とユーザ端末をユーザが操作してコンテンツに到達した日又は日時又は時刻との差分に対応づけて、そのコンテンツを要求したユーザの視聴質ランクに係る情報を実績情報として記憶しており、ユーザ視聴質取得手段が、ユーザ端末によってコンテンツが要求された場合に、主題情報記憶手段に記憶された情報に基づいて、コンテンツの提供に係る日又は日時又は時刻と前記コンテンツに到達した日又は日時又は時刻との差分を到達時間として求め、求めた到達時間と到達時間視聴質ランク実績記憶手段に記憶された情報とに基づいて、当該コンテンツを要求したユーザの視聴質を決定しかつ取得する。コンテンツを要求するタイミングと、コンテンツに関する関心度すなわち視聴質とが、一定の関連を有する場合が多いので、ユーザの視聴質を簡単かつ確実に取得することができる。
【手続補正３３】
【補正対象書類名】明細書
【補正対象項目名】００４３
【補正方法】変更
【補正の内容】
【００４３】
請求項１３記載の発明によれば、ユーザ視聴質取得手段は、到達時間視聴質ランク実績記憶手段に記憶された実績情報を更新する機能を備え、当該実績情報は、視聴質ランク取得用のアンケートに対してユーザ端末の操作により入力される回答に基づいてコンテンツを要求したユーザの視聴質ランクを決定した後に、当該ユーザの視聴質ランクに基づいて更新されるので、アンケートの回答によって、コンテンツを要求したユーザのより正確な視聴質ランクを決定し取得できた場合に、より正確なその視聴質ランクに基づいて到達時間視聴質ランク実績記憶手段の実績情報を更新することで、到達時間視聴質ランク実績記憶手段に記憶される実績情報の質を高めることができる。これにより、到達時間視聴質ランク実績記憶手段に記憶された実績情報に基づいて、コンテンツを要求したユーザの視聴質ランクを決定し取得する場合の確度を、より一層向上させることができる。
【手続補正３４】
【補正対象書類名】明細書
【補正対象項目名】００４４
【補正方法】変更
【補正の内容】
【００４４】
請求項１４記載の発明によれば、到達方法視聴質ランク実績記憶手段が、ユーザが前記コンテンツに到達するために用いた手段又は契機を示す情報に対応づけて、そのコンテンツに到達したユーザの視聴質ランクに係る情報を実績情報として記憶しており、ユーザ視聴質取得手段が、前記ユーザ端末によってコンテンツが要求された場合に、当該コンテンツ要求情報に含まれる、ユーザがコンテンツに到達するために用いた手段又は契機を示す情報を取得し、取得した到達の手段又は契機を示す情報と到達方法視聴質ランク実績記憶手段に記憶された情報とに基づいて、当該コンテンツを要求した前記ユーザの視聴質を決定しかつ取得する。従って、ユーザがユーザ端末を操作してコンテンツを要求するだけで、コンテンツへの到達方法と実績情報とに基づいたユーザの視聴質ランクを決定し、取得できる。また、コンテンツに到達するために用いた手段又は契機と、上記放送番組等及びコンテンツに関する関心度すなわち視聴質とが、一定の関連を有する場合が多いので、ユーザの視聴質を簡単かつ確実に取得するのに役立つ。
【手続補正３５】
【補正対象書類名】明細書
【補正対象項目名】００４５
【補正方法】変更
【補正の内容】
【００４５】
請求項１５記載の発明によれば、ユーザ視聴質取得手段が、到達方法視聴質ランク実績記憶手段に記憶された実績情報を更新する機能を備え、当該実績情報は、視聴質ランク取得用のアンケートに対して前記ユーザ端末の操作により入力される回答に基づいてコンテンツを要求したユーザの視聴質ランクを決定した後に、当該ユーザの視聴質ランクに基づいて更新される。従って、アンケートの回答によって、コンテンツを要求したユーザのより正確な視聴質ランクを決定し取得できた場合に、より正確なその視聴質ランクに基づいて到達方法視聴質ランク実績記憶手段の実績情報を更新することで、到達方法視聴質ランク実績記憶手段に記憶される実績情報の質を高めることができる。これにより、到達方法視聴質ランク実績記憶手段に記憶された実績情報に基づいて、コンテンツを要求したユーザの視聴質ランクを決定し取得する場合の確度を、より一層向上させることができる。
【手続補正３６】
【補正対象書類名】明細書
【補正対象項目名】００４６
【補正方法】変更
【補正の内容】
【００４６】
請求項１６記載の発明によれば、閲覧度合視聴質ランク実績記憶手段が、コンテンツを全て閲覧又は聴取又は視聴するのに要する時間とユーザがコンテンツを閲覧又は聴取又は視聴した実時間との関係に関する情報に対応づけて、そのコンテンツを閲覧又は聴取又は視聴したユーザの視聴質ランクに係る情報を実績情報として記憶しており、ユーザ視聴質取得手段が、ユーザ端末によってコンテンツが要求された場合に、ユーザがコンテンツを閲覧又は聴取又は視聴した実時間を取得し、コンテンツを全て閲覧又は聴取又は視聴するのに要する時間と取得した時間との関係を求め、求めた関係と閲覧度合視聴質ランク実績記憶手段に記憶された情報とに基づいて、当該コンテンツを要求したユーザの視聴質を決定しかつ取得する。従って、コンテンツの閲覧に通常要する時間とコンテンツを要求したユーザがそのコンテンツを実際に閲覧等した時間との関係と、上記放送番組等及びコンテンツに関する関心度すなわち視聴質とが、一定の関連を有する場合が多いので、ユーザの視聴質を簡単かつ確実に取得するのに役立つ。
【手続補正３７】
【補正対象書類名】明細書
【補正対象項目名】００４７
【補正方法】変更
【補正の内容】
【００４７】
請求項１７記載の発明によれば、ユーザ視聴質取得手段が、閲覧度合視聴質ランク実績記憶手段に記憶された実績情報を更新する機能を備え、当該実績情報は、視聴質ランク取得用のアンケートに対してユーザ端末の操作により入力される回答に基づいてコンテンツを要求したユーザの視聴質ランクを決定した後に、当該ユーザの視聴質ランクに基づいて更新される。従って、アンケートの回答によって、コンテンツを要求したユーザのより正確な視聴質ランクを決定し取得できた場合に、より正確なその視聴質ランクに基づいて閲覧度合視聴質ランク実績記憶手段の実績情報を更新することで、閲覧度合視聴質ランク実績記憶手段に記憶される実績情報の質を高めることができる。これにより、閲覧度合視聴質ランク実績記憶手段に記憶された実績情報に基づいて、コンテンツを要求したユーザの視聴質ランクを決定し取得する場合の確度を、より一層向上させることができる。
【手続補正３８】
【補正対象書類名】明細書
【補正対象項目名】００５１
【補正方法】変更
【補正の内容】
【００５１】
請求項２２記載の発明によれば、ユーザが操作するユーザ端末によって広告提供対象の情報がアクセスされたときに、そのユーザ端末に対して広告データを送信し、ユーザ端末において広告を出力させる広告システムにおける広告評価方法において、広告システムは、広告出力ステップにおいて、ユーザ端末に対して広告データを送信して広告を出力させ、広告出力ステップの前または後に実行する視聴質取得ステップにおいて、ユーザ端末を操作するユーザの視聴質を取得し、広告出力ステップ及び視聴質取得ステップの後に記録ステップを実行して、視聴質取得ステップで取得した視聴質を広告に対応づけて記録し、視聴質取得ステップにおいて取得されるユーザの視聴質は、ユーザ端末からの要求により要求された情報がユーザ端末に提供された状態でユーザ端末により所定のコンテンツが要求されたときに決定される。ここで、視聴質とは、広告または広告が関連する事柄に対するユーザの関心を示し、例えばテレビ放送される番組を媒体として広告を行う場合、当該番組自体、当該番組に関連するウェブページ、或いは当該広告自体に対するユーザの関心を示す。視聴質ランクとは、視聴質を複数の段階に分けて示す尺度である。視聴質が高いユーザとは、高い関心を抱いているユーザのことを指す。従って、本発明によれば、広告出力後に記録された視聴質をもとに、ユーザ端末を操作してコンテンツを要求したユーザの視聴質（例えば、テレビ放送される番組自体、当該番組に関連するウェブページ、或いは当該広告自体に対するユーザの関心度）に基づいて広告効果を正確に評価することが可能となる。そして、広告を依頼する広告主にとっては、広告に係る費用対効果を的確に判断することができ、広告を受注する事業者にとっては、適正な広告料金を設定することができる等の利点があり、広告に関わるいずれの立場においても、効率よく適正な広告が行えるようになる。